(57)【要約】【課題】乳幼児用シートを構成する胴体部のリクライニング動作に応じて、当該胴体部の形状が調整されるベビーカーを提供すること。【解決手段】ベビーカー１０は、一対の背パイプ３０を含んで構成されている手押杆２６を具備するベビーカー本体１２と、胴体部１４と、座部１６とを備えている。胴体部１４は、背部４０と当該背部４０の両サイドに設けられた一対の側部４２とを含み、クッション性部材によって形成されている。また、ベビーカー１０は、胴体部１４をベビーカー本体１２に対して支持するためのベースシート１８（支持体）と、座部１６に対する胴体部１４の傾斜角度を調整することができるリクライニング機構２０（２０ａ）と、を備えている。そして、一対の側部４２の各々は、所定の長さを有する取付具４６を介して、対応する背パイプ３０に取り付けられている。【選択図】  図４
2004216996.tif 000002
【特許請求の範囲】
【請求項１】
一対の背パイプを含んで構成されている手押杆を具備するベビーカー本体と、前記一対の背パイプの各々の間に設けられるとともに、背部と当該背部の両サイドに設けられた一対の側部とを有する胴体部と、
座面を形成する座部と、
前記座部に対する前記胴体部の傾斜角度を調整することができるリクライニング機構と、を備え、
前記一対の側部の各々は、所定の長さを有する取付具を介して、対応する背パイプに取り付けられていることを特徴とするベビーカー。
【請求項２】
前記取付具は、対応する側部の背面側に接続していることを特徴とする請求項１に記載のベビーカー。
【請求項３】
前記取付具は、対応する側部の外側縁近傍に接続していることを特徴とする請求項１又は２のいずれかに記載のベビーカー。
【請求項４】
前記取付具は、柔軟部材によって形成されていることを特徴とする請求項１乃至３のいずれかに記載のベビーカー。
【請求項５】
前記背部と一対の側部の各々とは一体的に設けられていることを特徴とする請求項１乃至４のいずれかに記載のベビーカー。
【発明の詳細な説明】
【０００１】
【発明の属する技術分野】
本発明は、ベビーカーに係り、特に、乳幼児用シートを形成する胴体部をリクライニングさせることができるベビーカーに関する。
【０００２】
【従来の技術】
乳幼児用シートに収容された乳幼児が快適に過ごすことができるように、ベビーカーには種々の工夫が施されている。例えば、乳幼児が直接的に収容される乳幼児用シートをクッション性に優れた部材によって形成することによって、乗り心地の向上が図られている。また、乳幼児用シートの胴体部の傾斜角度を任意に変更することができるリクライニング機構をベビーカーに持たせることによって、収容された乳幼児が快適に過ごすことができるような傾斜角度に胴体部を調整することができるようになっている。
【０００３】
【発明が解決しようとする課題】
上述のように、ベビーカーに対して、乳幼児用シートを構成する胴体部をクッション性部材によって形成し、また、リクライニング機構を持たせることによって、乳幼児は乳幼児用シートにおいて快適に過ごすことができるようになっている。
【０００４】
ところで、乳幼児用シートの胴体部に要求される適切な形状は、当該胴体部の傾斜角度に応じて異なる。その一方で、乳幼児用シートの胴体部は、比較的柔らかいクッション性部材によって形成されているので、傾斜角度の変化によって変形しやすく、必ずしも適切な形状を保持することができない。このため、リクライニング機構によって乳幼児用シートの胴体部の傾斜角度を変更すると（リクライニング動作）、当該胴体部の形状が崩れてしまい、例えば、胴体部の背部が乳幼児用シートの内側に倒れ込んだり（内倒れ）、胴体部の側部が乳幼児用シートの内側に突出したりしてしまうことがあった。このようにして乳幼児用シートの形状が崩れてしまうと、乳幼児用シートの形状の全体的なバランスが損なわれて、乗り心地が悪化し、また、外観面においても見栄えが悪くなる。
【０００５】
本発明はこのような事情を鑑みてなされたものであり、乳幼児用シートを構成する胴体部のリクライニング動作に応じて、当該胴体部の形状が調整されるベビーカーを提供することを目的とする。
【０００６】
【課題を解決するための手段】
本発明は、一対の背パイプを含んで構成されている手押杆を具備するベビーカー本体と、前記一対の背パイプの各々の間に設けられるとともに、背部と当該背部の両サイドに設けられた一対の側部とを有する胴体部と、座面を形成する座部と、前記座部に対する前記胴体部の傾斜角度を調整することができるリクライニング機構と、を備え、前記一対の側部の各々は、所定の長さを有する取付具を介して、対応する背パイプに取り付けられていることを特徴とするベビーカーである。
【０００７】
この場合、前記取付具は、対応する側部の背面側に接続していることが好ましい。
【０００８】
また、前記取付具は、対応する側部の外側縁近傍に接続していることが好ましい。
【０００９】
また、前記取付具は、柔軟部材によって形成されていることが好ましい。
【００１０】
また、前記背部と一対の側部の各々とは一体的に設けられていることが好ましい。
【００１１】
【発明の実施の形態】
以下、図面を参照して本発明の一実施の形態について説明する。
【００１２】
図１乃至図４は本発明の一実施の形態を示す図である。図１は、ベビーカー全体の構成を概略的に示す斜視図である。図２は、ベビーカーの背面側の構成を概略的に示す図である。図３は、ベビーカーを折り畳んだ状態を概略的に示す図である。図４は、胴体部の側部と取付具と背パイプとの構成関係を概略的に示す図である。
【００１３】
図１及び図２に示すように、本実施の形態のベビーカー１０は、ベビーカー本体１２と、胴体部１４と、座部１６と、胴体部１４をベビーカー本体１２に対して支持するためのベースシート（支持体）１８と、座部１６に対する胴体部１４の傾斜角度を調整することができるリクライニング機構２０と、を備えている。
【００１４】
ベビーカー本体１２は、図１に示すように、双輪式の前輪２１を有する左右一対の前脚２２と、双輪式の後輪２３を有する左右一対の後脚２４と、ほぼ逆Ｕ字状に屈曲された手押杆２６と、左右一対のアームレスト２８と、を具備している。手押杆２６は、左右一対の背パイプ３０と操作装置３２とを含んで構成されており、当該背パイプ３０の下端近傍にはそれぞれ上記アームレスト２８の一端が枢着され、そのアームレスト２８の他端部には前脚２２の頂端部が枢着されている。左右の後脚２４の頂端部は、アームレスト２８の中間部に枢着されており、その後脚２４の中間部には、く字状に形成されたブラケット３４の一端が枢着されている。そして、そのブラケット３４の中間位置には、手押杆２６を構成する背パイプ３０の先端がそれぞれ枢着されている。
【００１５】
ベビーカー１０が展開された状態では（図１及び図２参照）、ブラケット３４の他端に形成された係合部（図示せず）と、背パイプ３０の下端部に摺動可能に装着されたロック部材（図示せず）と、が係合することによって、その展開状態が維持されるようになっている。一方、ベビーカー１０が展開された状態にある場合に（図３参照）、手押杆２６の操作装置３２を操作することによって、ブラケット３４の係合部とロック部材との係合が離脱されるようになっている。ブラケット３４の係合部とロック部材との係合が離脱されると、アームレスト２８等が、背パイプ３０等との枢着点を中心として上方へ揺動することができ、前脚２２と後脚２４とがほぼ平行状態に揺動されることによって、ベビーカー１０は折り畳まれるようになっている。更に、左右の背パイプ３０を前方に移動させると、手押杆２６等が前方にコ字状に折り曲げられるようになっており、ベビーカー１０は、図３に示すように更にコンパクトに折り畳まれるようになっている。
【００１６】
胴体部１４は、一対の背パイプ３０の各々の間に設けられており（図１参照）、クッション性に優れた比較的柔らかいクッション性部材（例えば綿等）によって形成されている。当該胴体部１４は、背部４０と、当該背部４０の左右両サイドに設けられた一対の側部４２と、を含んで構成されている。なお、背部４０と一対の側部４２の各々とは一体的に設けられている。また、背部４０は、乳幼児シートに収容される乳幼児の頭部に対応するヘッドレストを含んで構成されている。
【００１７】
座部１６は、胴体部１４の下方において、ベビーカー本体１２に対して支持されており、法線方向が略鉛直方向となるような座面を形成するようになっている。当該座部１６は、クッション性部材（例えば綿等）によって形成されており、クッション性に優れた座り心地のよい座面が実現されている。そして、乳幼児が収容される乳幼児シートは、このような座部１６及び胴体部１４（クッションシート）を含んで構成されている。なお、本実施の形態では、胴体部１４と座部１６とは一体的に形成されており、当該胴体部１４及び座部１６によってクッション性に優れたクッションシートが形成されている。
【００１８】
ベースシート１８は、図２に示すように、比較的高い強度を有する部材（例えばポリエステル生地等）によってシート状に形成され、比較的高度な柔軟性が確保されている。また、当該ベースシート１８は、その一部において網目状構造を有しており、比較的高度な通気性が確保されている。また、当該ベースシート１８の左右の両端部近傍には、ベースシート用ホック器具４４ａが取り付けられている。このようなベースシート１８は、胴体部１４とベビーカー本体１２との間に設けられると共に、一対の背パイプ３０の各々の間に設けられている。そして、ベースシート１８の左右両端部近傍のベースシート用ホック器具４４ａが、対応する背パイプ３０に別途設けられたベースシート用ホック器具４４ｂに嵌め込まれることによって、ベースシート１８は、各背パイプ３０に対して取り付けられている。
【００１９】
本実施の形態のリクライニング機構２０は、リクライニング調整用ヒモ部２０ａを含んで構成されており（図２参照）、当該リクライニング調整用ヒモ部２０ａは、柔軟性を有するベースシート１８を貫通するようにして設けられており、当該ベースシート１８を介して背パイプ３０に接続している。このリクライニング調整用ヒモ部２０ａを、図２に示されている実線の矢印の方向へ引っ張ったり押し込んだりして、その長さを調節することにより、座部１６に対する胴体部１４の傾斜角度を適宜調整することができるようになっている（図２に示す点線の矢印参照）。
【００２０】
また、一対の側部４２の各々は、図４に示すように、所定の長さを有するフラップ状取付具４６によって、対応する背パイプ３０に取り付けられている。フラップ状取付具４６の所定の長さは、リクライニング機構２０による胴体部１４のリクライニング動作が当該フラップ状取付具４６によって阻害されないような長さに選定されており、また、フラップ状取付具４６に用いる材料や他の事情を考慮した適切な長さに選定されている。また、このフラップ状取付具４６は、柔軟部材（例えばニット生地等）によって形成されている。そして、フラップ状取付具４６は、ベースシート１８を介して、対応する背パイプ３０に対して取り付けられている。すなわち、当該フラップ状取付具４６の背パイプ３０側の縁近傍には、フラップ状取付具用ホック器具４８ａが取り付けられており、ベースシート１８には、フラップ状取付具用ホック器具４８ａに対応するフラップ状取付具用ホック器具４８ｂが取り付けられている。そして、当該フラップ状取付具用ホック器具４８ａが、対応する背パイプ３０に別途設けられたフラップ状取付具用ホック器具４８ｂに嵌め込まれ、また、ベースシート用ホック器具４４ａが、対応する背パイプ３０に別途設けられたベースシート用ホック器具４４ｂに嵌め込まれることによって、フラップ状取付具４６は、ベースシート１８を介して、当該対応する背パイプ３０に取り付けられている。一方、このフラップ状取付具４６の側部４２側の縁近傍は、対応する側部４２の背面側であって外側縁近傍に対し縫いつけられており、これによりフラップ状取付具４６と対応する側部４２とは取り付けられている。
【００２１】
次に、このような構成を有する本実施の形態の作用について説明する。
【００２２】
上述のような構成を有するベビーカー１０において、リクライニング機構２０のリクライニング調整用ヒモ部２０ａの長さを調節することによって、図２に示すように、座部１６に対する胴体部１４の傾斜角度を調整して（図２に示す実線の矢印参照）、胴体部１４をリクライニングさせることができる（図２に示す点線の矢印参照）。
【００２３】
この時、胴体部１４を構成する一対の側部４２の各々は、フラップ状取付具４６を介して取り付けられている対応する背パイプ３０によって支持されているので、その位置、形状も当該背パイプ３０によって適切な位置、形状に調整される。すなわち、リクライニング機構２０によって胴体部１４をリクライニングさせて、一対の側部４２の各々とフラップ状取付具４６との取付箇所と、当該フラップ状取付具４６と対応する背パイプ３０との取付箇所と、の距離が変動してしまうような場合であっても、所定の長さを有するフラップ状取付具４６は、背パイプ３０による側部４２の支持状態を維持したまま、胴体部１４をスムーズにリクライニングさせることが可能である。そして、これにより、胴体部１４は、リクライニング後であっても背パイプ３０によって支持され、適切な位置、形状に調整され保持されることとなる。このように、所定の長さを有するフラップ状取付具４６は、胴体部１４をリクライニングさせるような場合であっても、当該リクライニング動作を阻害せず、リクライニング動作に応じた適切な位置、形状に胴体部１４を調整して、胴体部１４の形状が崩れてしまうことを効果的に防止することができるようになっている。
【００２４】
特に、対応する側部４２の背面側にフラップ状取付具４６を取り付けることによって、側部４２の位置、形状を無理なく効果的に調整、保持することができるようになっている。
【００２５】
また、対応する側部４２の外側縁近傍にフラップ状取付具４６を取り付けることによって、背パイプ３０は、フラップ状取付具４６を介して、対応する側部４２の全体を支持することができ、側部４２全体の位置、形状を効果的に調整することができるようになっている。
【００２６】
また、フラップ状取付具４６は、柔軟部材によって形成されているので、胴体部１４のリクライニング動作にも柔軟に対応することができる。例えば、リクライニング機構２０によって座部１６に対する胴体部１４の傾斜角度を変化させる際に衝撃的な力が生じてしまったような場合であっても、当該衝撃的な力はフラップ状取付具４６によって緩和される。このため、このようなベビーカー１０では、当該衝撃的な力が胴体部１４（背部４０、一対の側部４２）に伝わって当該胴体部１４の位置がズレたり形状が崩れたりしてしまう、というような不都合を効果的に防止することができる。
【００２７】
更に、背部４０と一対の側部４２とは一体に設けられているので、背部４０も、側部４２及びフラップ状取付具４６を介して背パイプ３０によって支持され、その位置、形状がリクライニング動作の有無にかかわらず効果的に調整、保持されるようになっている。
【００２８】
【発明の効果】
以上説明したように、本発明によれば、所定の長さを有する取付具を介して、胴体部を構成する一対の側部の各々と対応する背パイプとが取り付けられており、各側部は、胴体部のリクライニング動作の有無にかかわらず、取付具を介して対応する背パイプによって支持される。このため、胴体部の側部は、胴体部のリクライニング動作に応じて、その形状が調整されうる。
【図面の簡単な説明】
【図１】ベビーカー全体の構成を概略的に示す斜視図である。
【図２】ベビーカーの背面側の構成を概略的に示す図である。
【図３】ベビーカーを折り畳んだ状態を概略的に示す図である。
【図４】胴体部の側部と取付具と背パイプとの構成関係を概略的に示す図である。
【符号の説明】
１０  ベビーカー
１２  ベビーカー本体
１４  胴体部
１６  座部
１８  ベースシート（支持体）
２０  リクライニング機構
２０ａ  リクライニング調整用ヒモ部
２１  前輪
２２  前脚
２３  後輪
２４  後脚
２６  手押杆
２８  アームレスト
３０  背パイプ
３２  操作装置
３４  ブラケット
４０  背部
４２  側部
４４ａ、４４ｂ  ベースシート用ホック器具
４６  フラップ状取付具
４８ａ、４８ｂ  フラップ状取付具用ホック器具
【図１】
2004216996.tif 000003
【図２】
2004216996.tif 000004
【図３】
2004216996.tif 000005
【図４】
2004216996.tif 000006